【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】
【請求項１】
サーバからクライアントに対して階層符号化データを配信するサーバクライアントシステムであり、
前記クライアントは、
配信を要求する階層符号化データの態様を示す要求データ態様識別情報を含むデータ要求メッセージを前記サーバに送信し、
前記サーバは、
前記クライアントから受信するデータ要求メッセージに含まれる前記要求データ態様識別情報に基づいて、該要求データ態様識別情報に対応する符号化データを記憶部から抽出または生成し、前記クライアントに対して送信することを特徴とするサーバクライアントシステム。
【請求項２】
前記クライアントは、前記データ要求メッセージの送信に先立って、サーバの保持する階層符号化データの態様を示すサーバ保持データ態様識別情報の送信を要求するデータ仕様要求を送信し、前記サーバは、前記データ仕様要求に対する応答として、サーバ保持データ態様識別情報を含む応答メッセージを返信すると共に、
前記クライアントは、前記応答メッセージ中のサーバ保持データ態様識別情報に基づいて、クライアントの要求する階層符号化データ態様を決定し、該決定情報を前記要求データ態様識別情報として前記データ要求メッセージに格納して前記サーバに送信することを特徴とする請求項１に記載のサーバクライアントシステム。
【請求項３】
階層符号化データの送信処理を実行するサーバとしてのデータ送信装置であり、
クライアントとのデータ送受信を実行する通信部と、
前記通信部を介してクライアントから受信するデータ要求メッセージに含まれる要求データ態様識別情報に基づいて、該要求データ態様識別情報に対応する符号化データを記憶部から抽出または生成する制御部と、
前記制御部の制御の下に抽出または生成した符号化データを格納した通信パケットを生成する通信パケット処理部とを有し、
前記通信パケット処理部において生成したクライアント対応の符号化データを格納した通信パケットをクライアントに対して送信することを特徴とするデータ送信装置。
【請求項４】
前記クライアントは、制御情報通信プロトコルとしてのＲＴＳＰ（Real-time Streaming Protocol）に従ったプレイ［ＰＬＡＹ］メソッドの記述中に前記要求データ態様識別情報を格納して前記サーバに送信する処理を実行する構成であり、
前記制御部は、
前記クライアントから受信するプレイ［ＰＬＡＹ］メソッドの記述中から、前記要求データ態様識別情報を取得し、取得した要求データ態様識別情報に対応する符号化データの抽出または生成処理を実行することを特徴とする請求項３に記載のデータ送信装置。
【請求項５】
前記データ送信装置は、
前記通信部を介してクライアントからデータ仕様要求を受信し、
前記制御部は、
記憶部に格納した階層符号化データの態様情報としてのサーバ保持データ態様識別情報を格納した応答メッセージを前記クライアントに送信することを特徴とする請求項３に記載のデータ送信装置。
【請求項６】
前記階層符号化データは、ＪＰＥＧ２０００フォーマットデータであり、
前記サーバ保持データ態様識別情報は、解像度情報、画質情報の少なくともいずれかの情報を含むことを特徴とする請求項５に記載のデータ送信装置。
【請求項７】
前記階層符号化データは、ＪＰＥＧ２０００フォーマットデータであり、
前記サーバ保持データ態様識別情報は、ＪＰＥＧ２０００符号化データにおけるプログレッションタイプとしてのＬＲＣＰ（Layer-resolution level-component-position progression）、またはＲＬＣＰ（Resolution level-layer-component-position progression）いずれかの指定情報を含むことを特徴とする請求項５に記載のデータ送信装置。
【請求項８】
前記サーバ保持データ態様識別情報は、階層符号化データの生成処理に伴うウェーブレット変換回数値に相当するＲ値、またはレイヤ数に相当するＬ値の少なくともいずれかの指定情報を含むことを特徴とする請求項５に記載のデータ送信装置。
【請求項９】
前記階層符号化データは、ＭＰＥＧフォーマットデータであり、
前記サーバ保持データ態様識別情報は、ＭＰＥＧ符号化データにおけるエンハンスメント・レイヤの分割数であることを特徴とする請求項５に記載のデータ送信装置。
【請求項１０】
前記階層符号化データは、ＭＰＥＧフォーマットデータであり、
前記要求データ態様識別情報および前記サーバ保持データ態様識別情報は、ＭＰＥＧ符号化データにおけるエンハンスメント・レイヤの情報量を決定する画質指標値としてのＰＳＮＲ（Peak Signal to Noise Ratio）の値であることを特徴とする請求項５に記載のデータ送信装置。
【請求項１１】
サーバから階層符号化データを受信するクライアントとしてのデータ受信装置であり、
前記データ受信装置は、
サーバとのデータ送受信を実行する通信部と、
配信を要求する階層符号化データの態様を示す要求データ態様識別情報を含むデータ要求メッセージを生成し、前記通信部を介して送信する制御部と、
を有することを特徴とするデータ受信装置。
【請求項１２】
前記階層符号化データは、ＪＰＥＧ２０００フォーマットデータであり、
前記要求データ態様識別情報は、１フレームあたりのＪＰＥＧ２０００符号化データパケット（ＪＰ２パケット）数であることを特徴とする請求項１１に記載のデータ受信装置。
【請求項１３】
前記データ受信装置は、前記データ要求メッセージの送信前にサーバに対するデータ仕様要求の送信処理を実行するとともに、前記サーバから受信する応答メッセージ中からサーバ保持データ態様識別情報を取得し、該取得情報に基づいて、自己の要求する階層符号化データ態様を決定し、該決定情報を前記要求データ態様識別情報として前記データ要求メッセージに格納して前記サーバに送信する処理を実行する構成であることを特徴とする請求項１１に記載のデータ受信装置。
【請求項１４】
階層符号化データの送信処理を実行するデータ送信方法であり、
クライアントからデータ要求メッセージを受信するステップと、
前記データ要求メッセージに含まれる要求データ態様識別情報に基づいて、該要求データ態様識別情報に対応する符号化データを記憶部から抽出または生成する制御ステップと、
抽出または生成した符号化データを格納した通信パケットを生成する通信パケット生成ステップと、
クライアント対応の符号化データを格納した通信パケットをクライアントに対して送信するステップと、
を有することを特徴とするデータ送信方法。
【請求項１５】
サーバに対する階層符号化データの要求処理を実行するデータ要求処理方法であり、
配信を要求する階層符号化データの態様を示す要求データ態様識別情報を含むデータ要求メッセージを生成するステップと、
前記データ要求メッセージをサーバに対して送信するステップと、
を有することを特徴とするデータ要求処理方法。
【請求項１６】
階層符号化データの送信処理を実行するデータ送信処理を実行するコンピュータ・プログラムであって、
クライアントからデータ要求メッセージを受信するステップと、
前記データ要求メッセージに含まれる要求データ態様識別情報に基づいて、該要求データ態様識別情報に対応する符号化データを記憶部から抽出または生成する制御ステップと、
抽出または生成した符号化データを格納した通信パケットを生成する通信パケット生成ステップと、
クライアント対応の符号化データを格納した通信パケットをクライアントに対して送信するステップと、
を具備することを特徴とするコンピュータ・プログラム。
【請求項１７】
サーバに対する階層符号化データの要求処理を実行するデータ要求処理を実行するコンピュータ・プログラムであって、
配信を要求する階層符号化データの態様を示す要求データ態様識別情報を含むデータ要求メッセージを生成するステップと、
前記データ要求メッセージをサーバに対して送信するステップと、
を具備することを特徴とするコンピュータ・プログラム。
【手続補正２】
【補正対象書類名】明細書
【補正対象項目名】００１５
【補正方法】変更
【補正の内容】
【００１５】
本発明の第１の側面は、
サーバからクライアントに対して階層符号化データを配信するサーバクライアントシステムであり、
前記クライアントは、
配信を要求する階層符号化データの態様を示す要求データ態様識別情報を含むデータ要求メッセージを前記サーバに送信し、
前記サーバは、
前記クライアントから受信するデータ要求メッセージに含まれる前記要求データ態様識別情報に基づいて、該要求データ態様識別情報に対応する符号化データを記憶部から抽出または生成し、前記クライアントに対して送信することを特徴とするサーバクライアントシステムにある。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
さらに、本発明のサーバクライアントシステムの一実施態様において、前記クライアントは、前記データ要求メッセージの送信に先立って、サーバの保持する階層符号化データの態様を示すサーバ保持データ態様識別情報の送信を要求するデータ仕様要求を送信し、前記サーバは、前記データ仕様要求に対する応答として、サーバ保持データ態様識別情報を含む応答メッセージを返信すると共に、前記クライアントは、前記応答メッセージ中のサーバ保持データ態様識別情報に基づいて、クライアントの要求する階層符号化データ態様を決定し、該決定情報を前記要求データ態様識別情報として前記データ要求メッセージに格納して前記サーバに送信することを特徴とする。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】変更
【補正の内容】
【００３０】
さらに、本発明の第２の側面は、
階層符号化データの送信処理を実行するサーバとしてのデータ送信装置であり、
クライアントとのデータ送受信を実行する通信部と、
前記通信部を介してクライアントから受信するデータ要求メッセージに含まれる要求データ態様識別情報に基づいて、該要求データ態様識別情報に対応する符号化データを記憶部から抽出または生成する制御部と、
前記制御部の制御の下に抽出または生成した符号化データを格納した通信パケットを生成する通信パケット処理部とを有し、
前記通信パケット処理部において生成したクライアント対応の符号化データを格納した通信パケットをクライアントに対して送信することを特徴とするデータ送信装置にある。
【手続補正１８】
【補正対象書類名】明細書
【補正対象項目名】００３１
【補正方法】変更
【補正の内容】
【００３１】
さらに、本発明のデータ送信装置の一実施態様において、前記クライアントは、制御情報通信プロトコルとしてのＲＴＳＰ（Real-time Streaming Protocol）に従ったプレイ［ＰＬＡＹ］メソッドの記述中に前記要求データ態様識別情報を格納して前記サーバに送信する処理を実行する構成であり、前記制御部は、前記クライアントから受信するプレイ［ＰＬＡＹ］メソッドの記述中から、前記要求データ態様識別情報を取得し、取得した要求データ態様識別情報に対応する符号化データの抽出または生成処理を実行することを特徴とする。
【手続補正１９】
【補正対象書類名】明細書
【補正対象項目名】００３２
【補正方法】変更
【補正の内容】
【００３２】
さらに、本発明のデータ送信装置の一実施態様において、前記データ送信装置は、前記通信部を介してクライアントからデータ仕様要求を受信し、前記制御部は、記憶部に格納した階層符号化データの態様情報としてのサーバ保持データ態様識別情報を格納した応答メッセージを前記クライアントに送信することを特徴とする。
【手続補正２０】
【補正対象書類名】明細書
【補正対象項目名】００３３
【補正方法】変更
【補正の内容】
【００３３】
さらに、本発明のデータ送信装置の一実施態様において、前記階層符号化データは、ＪＰＥＧ２０００フォーマットデータであり、前記サーバ保持データ態様識別情報は、解像度情報、画質情報の少なくともいずれかの情報を含むことを特徴とする。
【手続補正２１】
【補正対象書類名】明細書
【補正対象項目名】００３８
【補正方法】変更
【補正の内容】
【００３８】
さらに、本発明の第３の側面は、
サーバから階層符号化データを受信するクライアントとしてのデータ受信装置であり、
前記データ受信装置は、
サーバとのデータ送受信を実行する通信部と、
配信を要求する階層符号化データの態様を示す要求データ態様識別情報を含むデータ要求メッセージを生成し、前記通信部を介して送信する制御部と、
を有することを特徴とするデータ受信装置にある。
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】変更
【補正の内容】
【００５０】
さらに、本発明の第５の側面は、
サーバに対する階層符号化データの要求処理を実行するデータ要求処理方法であり、
配信を要求する階層符号化データの態様を示す要求データ態様識別情報を含むデータ要求メッセージを生成するステップと、
前記データ要求メッセージをサーバに対して送信するステップと、
を有することを特徴とするデータ要求処理方法にある。
【手続補正３１】
【補正対象書類名】明細書
【補正対象項目名】００５１
【補正方法】削除
【補正の内容】
【手続補正３２】
【補正対象書類名】明細書
【補正対象項目名】００５３
【補正方法】変更
【補正の内容】
【００５３】
さらに、本発明の第７の側面は、
サーバに対する階層符号化データの要求処理を実行するデータ要求処理を実行するコンピュータ・プログラムであって、
配信を要求する階層符号化データの態様を示す要求データ態様識別情報を含むデータ要求メッセージを生成するステップと、
前記データ要求メッセージをサーバに対して送信するステップと、
を具備することを特徴とするコンピュータ・プログラムにある。